(57)【要約】【課題】  部品点数を増やさずにより簡易な構成で、Ｕターン部を設けたフレキシブルプリント基板をレンズ鏡筒に固定することを可能にしたレンズ鏡筒およびそれを用いた光学機器を提供すること。【解決手段】  フレキシブルプリント基板の幅方向に突出した複数の突出部のうちの少なくとも一つを、案内部材の光軸方向後端部に設けた溝部に光軸後方から挿入し、固定部材に設けた蓋部と前記案内部材の溝部との間で、前記フレキシブルプリント基板の突出部を挟持する。【選択図】  図５
2013231922.tif 000002
【特許請求の範囲】
【請求項１】
光軸方向に移動するレンズ保持枠に電気部材を支持し、
この電気部材から光軸方向前方に引き出されたフレキシブルプリント基板をＵターンさせて光軸方向後方に折り返した後、
レンズ保持枠を光軸方向に移動可能に保持する案内部材と、
前記案内部材を保持する固定部材のうちの少なくとも一方に支持するレンズ鏡筒において、
前記フレキシブルプリント基板は幅方向に突出した複数の突出部を備え、
前記案内部材の光軸方向後端部に設けた溝部に前記フレキシブルプリント基板の複数の突出部のうちの少なくとも１つを光軸後方から挿入し、
前記固定部材に設けた蓋部と前記案内部材の溝部との間で、
前記フレキシブルプリント基板の突出部を挟持することを特徴とするレンズ鏡筒およびそれを用いた光学機器
【発明の詳細な説明】
【技術分野】
【０００１】
本発明は、レンズ鏡筒およびそれを用いた光学機器に関し、特に電気ユニットを相互に接続するフレキシブルプリント基板を簡単な構造で装着できるレンズ鏡筒およびそれを用いた光学機器に関するものである。
【背景技術】
【０００２】
従来、レンズ鏡筒においては、鏡筒内に設けられたレンズ駆動用ＩＣ、絞り駆動用ＩＣ等が配置されたプリント配線基板と、レンズ駆動用アクチュエータ、絞り駆動用アクチュエータ、カメラとの接続マウント等とはフレキシブルプリント基板によって相互に接続されている。そして、可動レンズ群にアクチュエータ等が取り付けられた場合、アクチュエータからプリント配線基板へ向かうフレキシブルプリント基板に光軸方向に曲率を持たせて折り返したＵターン部を設けて可動レンズ群の移動を吸収する方法がよく用いられている。その際に、フレキシブルプリント基板をレンズ鏡筒に固定する方法として、フレキシブルプリント基板に両面テープを固着して被固定部に固定する方法がある。また、他の固定方法としては、前記Ｕターン移動を補助する補助部材を用いてフレキシブルプリント基板をレンズ鏡筒に固定する方法がある。
【０００３】
しかし、これらの方法では部品点数が増えてコストアップの要因となる。そこで、部品点数を増やさずにフレキシブルプリント基板をレンズ鏡筒に固定する方法として、フレキシブルプリント基板の幅方向に突出した組み付け固定部を設けてフレキシブルプリント基板を撓ませてレンズ鏡筒に固定する、というものがあった。
【０００４】
例えば、特許文献１では、フレキシブルプリント基板の長手方向の一部に幅方向に突出した突出部を設け、この突出部の一部に長手方向に略平行に延在する組付け延在部を設けたことを特徴とするものが開示されている。さらに、前記組付け延在部を該組付け延在部より小さく形成された取り付け穴に弾性力を利用して挿入固定することを特徴としている。さらに、前記組付け延在部はフレキシブルプリント基板の長手方向の中心に対して左右対称位置に形成されており、前記組付け延在部の中心と前記フレキシブルプリント基板の長手方向の中心との間の距離よりも、前記取り付け穴の中心と前記フレキシブルプリント基板の長手方向の中心との間の距離の方を短くしており、フレキシブルプリント基板の弾性力を利用してレンズ鏡筒に固定することを特徴としている。
【先行技術文献】
【特許文献】
【０００５】
【特許文献１】特開平０７−２８８３６６号公報
【発明の概要】
【発明が解決しようとする課題】
【０００６】
しかしながら、上述の特許文献に開示された従来技術では、取り付け穴の一方向からフレキシブルプリント基板をその弾性力を利用して挿入固定する為、Ｕターン部を設けて可動レンズ群の移動を吸収するフレキシブルプリント基板の場合、レンズ群移動時にフレキシブルプリント基板が抜けてしまうことがある。
【０００７】
そこで、本発明の目的は、部品点数を増やさずにより簡易な構成で、Ｕターン部を設けたフレキシブルプリント基板をレンズ鏡筒に固定することを可能にしたレンズ鏡筒およびそれを用いた光学機器を提供することである。
【課題を解決するための手段】
【０００８】
上記目的を達成するために、本発明は、光軸方向に移動するレンズ保持枠に電気部材を支持し、この電気部材から光軸方向前方に引き出されたフレキシブルプリント基板をＵターンさせて光軸方向後方に折り返した後、レンズ保持枠を光軸方向に移動可能に保持する案内部材と、前記案内部材を保持する固定部材のうちの少なくとも一方に支持するレンズ鏡筒において、前記フレキシブルプリント基板は幅方向に突出した複数の突出部を備え、前記案内部材の光軸方向後端部に設けた溝部に前記フレキシブルプリント基板の複数の突出部のうちの少なくとも１つを光軸後方から挿入し、前記固定部材に設けた蓋部と前記案内部材の溝部との間で、前記フレキシブルプリント基板の突出部を挟持することを特徴とする。
【発明の効果】
【０００９】
本発明によれば、部品点数を増やさずにより簡易な構成で、Ｕターン部を設けたフレキシブルプリント基板をレンズ鏡筒に固定することを可能にしたレンズ鏡筒およびそれを用いた光学機器を提供することができる。
【図面の簡単な説明】
【００１０】
【図１】本発明の実施例１によるレンズ鏡筒の断面図である。
【図２】本発明の実施例１による第３群ユニットの断面図である。
【図３】本発明の実施例１による第４群鏡筒の斜視図である。
【図４】本発明の実施例１によるフレキシブルプリント基板の後群鏡筒への取り付け部の斜視図である。
【図５】本発明の実施例１によるフレキシブルプリント基板の案内筒および固定鏡筒への取り付け部の斜視図である。
【図６】本発明の実施例１によるフレキシブルプリント基板の案内筒および固定鏡筒への取り付け部の断面図である。
【発明を実施するための形態】
【００１１】
以下に、本発明の好ましい実施の形態を、添付の図面に基づいて詳細に説明する。図１は、本発明の実施形態にかかわるレンズ鏡筒の断面図である。
【００１２】
［実施例１］
以下、図１〜６を参照して、本発明の第１の実施例によるレンズ鏡筒について説明する。
【００１３】
図１において、１は第１群レンズを示し、２は第１群レンズ１を保持する第１群鏡筒を示す。３は第２群レンズを示し、４は第２群レンズ３を保持する第２群鏡筒を示す。５は第３群ユニットを示す。６は案内筒を示し、７は案内筒６の外周に回転可能に嵌合したカム環を示す。８は固定鏡筒を示し、案内筒６を固定する。第１群鏡筒２、第２群鏡筒４および第３群ユニット５は図示しないコロにてカム環７に係合されており、カム環７の光軸Ｘ周りの回転に伴い光軸方向に移動させることができる。９はレンズの駆動用ＩＣ等が配置されたプリント基板を示し、固定鏡筒８に固定されている。
【００１４】
次に、第３群ユニット５について図２に基づき説明する。１０は後群鏡筒を示す。１１は第３群レンズを示し、１２は第３群レンズ１１を保持する第３群鏡筒を示す。１３は被写体にピントを合わせるためのフォーカスレンズであり、１４はフォーカスレンズ１３を保持する第４群鏡筒を示す。１５は第５群レンズを示し、１６は第５群レンズ１５を保持する第５群鏡筒を示す。１７は絞り羽根を駆動し開口径を変化する絞り手段を示す。１８は第６群レンズを示し、１９は第６群レンズ１８を保持する第６群鏡筒を示す。２０はブレ補正のため光軸と直交面内に駆動されるブレ補正レンズであり、２１はブレ補正レンズ２０を保持する第７群鏡筒を示す。２２は第８群レンズを示し、２３は第８群レンズ２２を保持する第８群鏡筒を示す。第３群ユニット５は、後群鏡筒１０、第３群鏡筒１２、第４群鏡筒１４、第５群鏡筒１６、絞り手段１７、第６群鏡筒１９、第７群鏡筒２１、および第８群鏡筒２３により構成される。
【００１５】
次に、フォーカスレンズ１３を保持する第４群鏡筒１４の駆動について、図３に基づき説明する。第４群鏡筒１４は後群鏡筒１０と第８群鏡筒２３に保持されている２本のガイドバー２４ａ、２４ｂによって光軸方向へ移動自在に保持されている。ガイドバー２４ａ，２４ｂは光軸を挟んで設けられており、これら２本のガイドバー２４ａ，２４ｂによって第４群鏡筒１４の光軸方向の案内と光軸周りの回り止めとを行っている。
【００１６】
２５はフォーカスモータを示し、第４群鏡筒１４を光軸方向に駆動する。２６はフォトインタラプタを示しており、後群鏡筒１０に保持されている。フォトインタラプタ２６は投光部と受光部の間を第４群鏡筒１４に一体的に設けた遮光壁部が通過することで第４群鏡筒１４の基準位置を検出し、フォーカスモータ２５に入力するパルス数によって各ズーム位置へ駆動するよう構成されている。
【００１７】
図４にフレキシブルプリント基板２７の後群鏡筒１０への取り付け部詳細を示す。２７はフレキシブルプリント基板を示し、前記絞り手段１７への駆動信号および前記フォトインタラプタ２６からの検出信号を伝達し、第３群ユニット５の移動に伴って曲げ部２７aが光軸方向に移動するＵターンフレキであり、後群鏡筒１０に固定される。１０ａ、１０ｂはフレキシブルプリント基板のガイド部を示し、１０ｃはフレキシブルプリント基板の取り付けビスを示す。フォトインタラプタ２６および絞り手段１７と接続されたフレキシブルプリント基板２７は、ガイド部１０ａ、１０ｂおよび取り付けビス１０ｃにより後群鏡筒１０に固定され、光軸に沿って前方に引き出され、曲げ部２７ａで折り返され後方に引き出される。引き出されたフレキシブルプリント基板２７は、案内筒６の内周に沿って後方に延び、固定鏡筒８との間で固定された後、固定鏡筒８の後方に延び、固定鏡筒８に固定されたプリント基板９に接続される。
【００１８】
図５にフレキシブルプリント基板２７の案内筒６および固定鏡筒８への取り付け部詳細を示す。２７ｂおよび２７ｃはフレキシブルプリント基板２７を固定する為に幅方向に突出した突出部を示す。６ａは案内筒６の内周に設けたフレキシブルプリント基板２７を保持する為の溝部を示し、６ｂは案内筒６に設けたフレキシブルプリント基板２７を保持する爪部を示し、６ｃは案内筒６に設けたフレキシブルプリント基板２７を固定鏡筒８との間で挟み込んで保持する為の溝部を示す。８ａは固定鏡筒８に設けたフレキシブルプリント基板２７の抜け止め用の蓋部を示す。
【００１９】
図６の（ａ）〜（ｃ）にフレキシブルプリント基板２７の取り付け手順を示す。第３群ユニット５から引き出され、曲げ部２７ａでＵターンさせて光軸方向後方に引き出されたフレキシブルプリント基板２７を、その突出部２７ｂを案内筒の爪部６ｂよりも光軸方向後方になるように一旦引き出す。次に、フレキシブルプリント基板の突出部２７ｂ、２７ｃが案内筒６の爪部６ｂおよび溝部６ｃに入るように光軸方向前方に押し出す。その後、固定鏡筒８を案内筒６に取り付けると、フレキシブルプリント基板の突出部２７ｃが案内筒の溝部６ｃと固定鏡筒の蓋部８ａとの間で挟持される。
【００２０】
以上のようにフレキシブルプリント基板の突出部２７ｃを固定鏡筒８と案内筒６の２部品で挟み込む構造である為、フレキシブルプリント基板を光軸中心方向に向かって大きく撓ませない限りフレキシブルプリント基板が外れることは無く、第３群ユニット５及びプリント基板９を固定鏡筒８及び案内筒６に組み込んだ後ではフレキシブルプリント基板２７が抜け落ちることが無い。
【００２１】
以上により、部品点数を増やさずにより簡易な構成で、Ｕターン部を設けたフレキシブルプリント基板をレンズ鏡筒に固定することを可能にしたレンズ鏡筒およびそれを用いた光学機器を提供することができる。
【００２２】
以上、本発明の好ましい実施形態について説明したが、本発明はこれらの実施形態に限定されず、その要旨の範囲内で種々の変形及び変更が可能である。
【符号の説明】
【００２３】
１：第１群レンズ
２：第１群鏡筒
３：第２群レンズ
４：第２群鏡筒
５：第３群ユニット
６：案内筒
６ａ、６ｃ：溝部
６ｂ：爪部
７：カム環
８：固定鏡筒
８ａ：蓋部
９：プリント基板
１０：後群鏡筒
１０ａ、１０ｂ：ガイド部
１１：第３群レンズ
１２：第３群鏡筒
１３：フォーカスレンズ
１４：第４群鏡筒
１５：第５群レンズ
１６：第５群鏡筒
１７：絞り手段
１８：第６群レンズ
１９：第６群鏡筒
２０：ブレ補正レンズ
２１：第７群鏡筒
２２：第８群レンズ
２３：第８群鏡筒
２４ａ、２４ｂ：ガイドバー
２５：フォーカスモータ
２６：ラック
２７：ラックバネ
２６：フォトインタラプタ
２７：フレキシブルプリント基板
２７ａ：曲げ部
２７ｂ、２７ｃ：突出部
【図１】
2013231922.tif 000003
【図２】
2013231922.tif 000004
【図３】
2013231922.tif 000005
【図４】
2013231922.tif 000006
【図５】
2013231922.tif 000007
【図６】
2013231922.tif 000008